(57)【要約】【課題】焼成した瓦を適宜形状に切断するに際して、位置決めが容易で効率的に切断できると共に、安定した状態で保持してより確実かつ正確に切断することができる瓦切断装置を提供する。【解決手段】本発明の瓦切断装置１は、本体部２と、本体部２に取り付けられた瓦保持部３と、本体部２に取り付けられ瓦保持部３に保持された瓦を切断するための切断手段４とを備えた瓦切断装置であって、瓦保持部３は、瓦の表面或いは裏面を当接させて配置する瓦配置面５と、瓦を配置した状態で瓦の両側方から瓦を保持する瓦保持手段６と、瓦を保持した状態で瓦を回転可能とする瓦回転機構７と、切断手段４に対する瓦の相対的位置を変更可能とする瓦往復動機構８とを有している。【選択図】図１
2007196458.tif 000002
【特許請求の範囲】
【請求項１】
本体部と、該本体部に取り付けられた瓦保持部と、前記本体部に取り付けられ前記瓦保持部に保持された瓦を切断するための切断手段とを備えた瓦切断装置であって、前記瓦保持部は、瓦の表面或いは裏面を当接させて配置する瓦配置面と、瓦を配置した状態で該瓦の両側方から瓦を保持する瓦保持手段と、瓦を保持した状態で当該瓦を回転可能とする瓦回転機構と、前記切断手段に対する瓦の相対的位置を変更可能とする瓦往復動機構とを有していることを特徴とする瓦切断装置。
【請求項２】
前記瓦保持部の前記瓦保持手段は、瓦の対向する角部をそれぞれ保持するものである請求項１に記載の瓦切断装置。
【請求項３】
前記切断手段は、前記本体部に傾動可能に取り付けられ、該切断手段の切断刃は、前記瓦保持部の前記瓦配置面に対する角度が変更可能に構成されている請求項１または２に記載の瓦切断装置。
【請求項４】
前記瓦切断装置は、切断ラインを示す光線照射手段を備えている請求項１ないし３のいずれかに記載の瓦切断装置。
【発明の詳細な説明】
【技術分野】
【０００１】
本発明は、焼成した瓦を屋根に配置するに先立ち、屋根の形態に適合させるために瓦を適宜形状に切断する瓦切断装置に関するものである。
【背景技術】
【０００２】
従来より、例えば寄棟造りや方形造りでは、矩形の平瓦や波瓦などをそのままの形状で屋根に配置すると、棟を構成する瓦が屋根の稜線よりはみ出すことがあり、その余剰部分を予め切断することがしばし行われている。そして、このような瓦の切断は、瓦職人が切断工具などを用いて施工現場において行うのが一般的である。
【０００３】
ところで、近年、現場において効率的に施工し工期の短縮を図る観点、施工における高品質性の担保、さらには施工現場における廃棄物の削減などの観点から、工場内で簡単かつ効率的に瓦をプレカットできる瓦切断装置が嘱望されている。そして、そのような瓦切断装置として、例えば特開２００３−３１４０１２号の屋根瓦の切断機が提案されている。
【０００４】
しかし、この屋根瓦の切断機は、瓦の位置決めに際して、勾配角の割り出し器具を用いるものであり、位置決め作業が煩雑であると共に、瓦の保持が十分な構造でないなどの問題点があった。
【特許文献１】特開２００３−３１４０１２号公報
【発明の開示】
【発明が解決しようとする課題】
【０００５】
そこで、本発明の課題は、焼成した瓦を適宜形状に切断するに際して、位置決めが容易で効率的に切断できると共に、安定した状態で保持してより確実かつ正確に切断することができる瓦切断装置を提供することにある。
【課題を解決するための手段】
【０００６】
上記課題を解決するものは、本体部と、該本体部に取り付けられた瓦保持部と、前記本体部に取り付けられ前記瓦保持部に保持された瓦を切断するための切断手段とを備えた瓦切断装置であって、前記瓦保持部は、瓦の表面或いは裏面を当接させて配置する瓦配置面と、瓦を配置した状態で該瓦の両側方から瓦を保持する瓦保持手段と、瓦を保持した状態で当該瓦を回転可能とする瓦回転機構と、前記切断手段に対する瓦の相対的位置を変更可能とする瓦往復動機構とを有していることを特徴とする瓦切断装置である。
【０００７】
前記瓦保持部の前記瓦保持手段は、瓦の対向する角部をそれぞれ保持するものであることが好ましい。前記切断手段は、前記本体部に傾動可能に取り付けられ、該切断手段の切断刃は、前記瓦保持部の前記瓦配置面に対する角度が変更可能に構成されていることが好ましい。前記瓦切断装置は、切断ラインを示す光線照射手段を備えていることが好ましい。
【発明の効果】
【０００８】
請求項１の発明によれば、焼成した瓦を適宜形状に切断するに際して、位置決めが容易で効率的に切断できると共に、安定した状態で保持してより確実かつ正確に切断することができる。
請求項２の発明によれば、簡素な構造でより安定した状態で瓦を保持し確実かつ正確に切断することができる。
請求項３の発明によれば、瓦の表面に対して直交方向以外の任意の角度に瓦を切断できる。
請求項４の発明によれば、切断前に切断ラインを確認して切断することができ、位置決めがより容易で、かつ、より効率的に瓦を切断できる。
【発明を実施するための最良の形態】
【０００９】
本発明の瓦切断装置は、瓦保持部が、瓦の表面或いは裏面を当接させて配置する瓦配置面と、瓦を配置した状態で該瓦の両側方から瓦を保持する瓦保持手段と、瓦を保持した状態で当該瓦を回転可能とする瓦回転機構と、前記切断手段に対する瓦の相対的位置を変更可能とする瓦往復動機構とを有しているため、瓦を容易に位置決めして所望形状に切断可能である。
【実施例１】
【００１０】
図１は、本発明の瓦切断装置の一実施例の正面図であり、図２は図１に示した瓦切断装置の左側面図であり、図３は図１に示した瓦切断装置の瓦保持部の平面図であり、図４は図１に示した瓦切断装置の使用方法を説明するための正面図であり、図５は図１に示した瓦切断装置の瓦保持部の作用を説明するための平面図であり、図６は図１に示した瓦切断装置の切断刃の作用を説明するための左側面図である。
【００１１】
そして、この実施例の瓦切断装置１は、図１ないし図３に示すように、本体部２と、本体部２に取り付けられた瓦保持部３と、本体部２に取り付けられ瓦保持部３に保持された瓦を切断するための切断手段４とを備えた瓦切断装置であって、瓦保持部３は、瓦の表面或いは裏面を当接させて配置する瓦配置面５と、瓦を配置した状態で瓦の両側方から瓦を保持する瓦保持手段６と、瓦を保持した状態で瓦を回転可能とする瓦回転機構７と、切断手段４に対する瓦の相対的位置を変更可能とする瓦往復動機構８とを有している。以下、各構成について順次詳述する。
【００１２】
本体部２は、図１に示すように、後述する瓦保持部３を作業台２ｂ上に配すると共に、切断手段４を傾動可能、かつ水平方向に往復動可能に支持するためのものであり、四方に配された脚部２ａと、脚部２ａの上部に設けられた作業台２ｂとから構成されている。
【００１３】
瓦保持部３は、切断に先立ち、焼成した瓦（切断する瓦）を保持するための部位であり、作業台２ｂの上面に設けられている。具体的には、この実施例の瓦保持部３は、図３に示すように、瓦配置面５を有し、この瓦配置面５に瓦の表面或いは裏面を当接させて配置するように構成されている。そして、この瓦配置面５に瓦を配置した状態で、瓦保持手段６Ａ，６Ｂが瓦の両側方からそれぞれ瓦を保持するように構成されている。より具体的には、これら瓦保持手段６Ａ，６Ｂは、平面視Ｌ字型の係止片６ａと、この係止片６ａと一体に構成され係止片６ａに対して直交する方向に延在する延在部６ｂとからなっており、平面視Ｌ字型の係止片６ａが、瓦の対向する角部をそれぞれ保持するように構成されている。これにより、簡素な構造で安定した状態で瓦を保持しより確実かつ正確に切断することができる。
【００１４】
切断手段４は、瓦保持部３に保持された瓦を切断するためのものであり、図１または図２に示すように、本体部２の上方に設けられた２本の水平バー９を往復動可能に配され、後述する基台部７ａを横断可能に取り付けられている。具体的には、切断手段４は、水平バー９の延在方向に沿って配された切断刃（回転刃：ダイヤモンドブレード）４ａと、切断刃４ａの上方部分を被覆するカバー４ｂと、回転刃４ａを上下動させるためのハンドル４ｃと、回転刃４ａを水平バー９に沿って往復動させるための把持部４ｄと、回転刃４ａを回転または回転停止させるためのスイッチ４ｅとを有している。
【００１５】
また、切断手段４は、本体部２に傾動可能に取り付けられており、切断手段４の切断刃４ａは、瓦保持部３の瓦配置面５に対する角度が変更可能に構成されている。これにより、瓦の表面に対して直交方向以外の任意の角度に瓦を切断することもできる。具体的には、切断手段４を移動可能に支持している水平バー９は、図１または図２に示すように、本体部２の両側に傾動可能に取り付けられたアーム１３ａ，１３ｂの上部に固定されており、初期状態では、図２に示すように、切断刃４ａが瓦配置面５に対して直交する方向に延在するように、切断手段４が水平バー９に支持されている。そして、切断刃４ａの瓦配置面５に対する角度を変更する場合は、図６に示すように、アーム固定用レバー１４を回転させて緩め、軸部１５を中心として図６中ｋ方向にアーム１３ａ，１３ｂを回転させると、アーム固定用レバー１４が弧状長孔１６内を移動し、所望の位置でアーム固定用レバー１４を逆回転させて固定することにより、切断刃４ａが瓦配置面５に対して直交以外の所定角度をもって固定されるように構成されている。
【００１６】
瓦回転機構７は、瓦を保持した状態で瓦を回転可能とするための機構であり、図３に示すように、瓦配置面５を摺動可能に配した基台部７ａと、軸部７ｂを中心軸として基台部７ａに対して回転可能に取り付けられた延在部６ｂを有する瓦保持手段６Ａと、基台部７ａに弧状（この実施例では軸部７ｂを中心とした円弧状）に設けられた長孔７ｃと、瓦保持手段６Ｂの延在部６ｂに取り付けられ、この延在部６ｂを貫通すると共に、長孔７ｃ内を移動自在に挿通された第１クランプ７ｄとから構成されている。
【００１７】
そして、瓦を回転させる場合は、瓦保持手段６Ｂを図３中矢印方向に移動させることにより、瓦３０を図５中矢印方向に回転させることができ、所望の位置にて第１クランプ７ｄをｈ方向に回転させることで、瓦保持手段６Ｂを基台部７ａに摺動不能とし、瓦３０の位置を固定できるよう構成されている。なお、瓦の回転角度の選定に際しては、図３に示すように、基台部７ａの上面に形成された角度目盛り９ａを使用することができる。
【００１８】
瓦往復動機構８は、切断手段４に対する瓦の相対的位置を変更可能とするためのものであり、これにより、切断手段４の切断刃４ａの延在方向（移動方向）に直交する方向に瓦を往復動させることができるように構成されている。具体的には、瓦往復動機構８は、図１に示すように、基台部７ａの下面において切断刃４ａの延在方向に直交する方向に沿って取り付けられた凹状レール部材１０と、作業台２ｂの上面において切断刃４ａの延在方向に直交する方向に沿って取り付けられた凸状レール部材１１とが係合しており、図３に示すように、基台部７ａが凹状レール部材１０および凸状レール部材１１の延在方向（図３中Ｊ方向）に往復動可能に構成されている。なお、瓦の位置の選定に際しては、図３に示すように、作業台２ｂの上部において基台部７ａに隣接する部位に形成された目盛り９ｂを使用することができる。また、基台部７ａの移動により瓦の位置が決定した場合は、第２クランプ１２を回転させることにより、基台部７ａを作業台２ｂに対して移動不能にすることができる。
【００１９】
また、本発明の瓦切断装置は、瓦の表面に切断ラインを示す光線照射手段を備えていることが好ましい。これにより、切断前に切断ラインを確認して切断することができ、位置決めがより容易で、かつ、より効率的に瓦を切断できる。具体的には、この実施例の瓦切断装置１は、図１または図４に示すように、切断手段４のカバー４ｂにレザー光線照射手段１７を備え、切断刃４ａが切断するラインを瓦表面に照射できるように構成されている。
【００２０】
つぎに、本発明の瓦切断装置１の使用方法について説明する。
瓦切断装置１を用いて瓦３０を切断する場合は、まず、図４に示すように、把持部４ｄを把持して切断刃４ａを水平バー９に沿って図４中矢印ｍの左側方向に向かって移動させる。この時、レザー光線照射手段１７は瓦配置面５を横断するように照射している。
【００２１】
つぎに、瓦配置面５上に切断する瓦３０を載置する。そして、瓦３０の表面を照射しているレーザー光線とを基台部７ａの上面に形成された角度目盛り９ａを参考にしながら、瓦回転機構７により角度調整を行う。具体的には、瓦３０を図５中矢印方向に回転させることができ、所望の位置にて第１クランプ７ｄをｈ方向に回転させることで、瓦保持手段６Ｂを基台部７ａに摺動不能とし、瓦３０を固定する。また、瓦３０の表面を照射しているレーザー光線と目盛り９ｂを参考にしながら、瓦往復動機構８により位置調整を行う。具体的には、基台部７ａを凹状レール部材１０および凸状レール部材１１の延在方向（図３中Ｊ方向）に沿って移動させ、瓦３０の位置を選定した後、第２クランプ１２を回転させることにより基台部７ａを作業台２ｂに対して移動不能に固定する。これらの操作により、瓦３０の切断ラインが特定される。
【００２２】
そして、切断刃４ａを上下動させるためのハンドル４ｃを回転させて、切断刃４ａの高さを決定する。さらに、切断刃４ａを回転させるためのスイッチ４ｅを押圧して切断刃４ａを回転させた後、把持部４ｄを把持して図４中矢印ｍの右側方向に向かって移動させながら、瓦３０を切断刃４ａにて切断する。切断後は、スイッチ４ｅを押圧して、切断刃４ａの回転を停止させる。
【００２３】
その後、把持部４ｄを把持して切断刃４ａを水平バー９に沿って図４中矢印ｍの左側方向に向かって移動させて、切断した瓦３０を瓦配置面５より取り除いて、つぎに切断する瓦を配置する。以降は前述の動作を繰り返して瓦を順次切断する。
【００２４】
さらに、図７に示した本発明の瓦切断装置の他の実施例について説明する。なお、図７は本発明の瓦切断装置の他の実施例における瓦保持部の平面図である。
この実施例の瓦切断装置２０と、前述した瓦切断装置１との基本的相違は、瓦保持部に複数の瓦配置面が構成されている点である。これは一度に複数の瓦を切断するためであり、瓦保持部の構成は前述した瓦切断装置１の構成と同様であり、同一構成部分については同一符号を付し説明を省略する。
【００２５】
また、この実施例の瓦切断装置２０は、切断刃による切断が自動化されており、瓦を配置してスイッチ（図示しない）を押圧すると、切断刃が自動的に動作し瓦を切断するように構成されている。
【００２６】
さらに、この実施例の瓦切断装置２０は、各瓦をそれぞれ異なる角度に切断できるように、それぞれの瓦に対して瓦回転機構が設けられているが、複数の瓦を同様に切断できるように、回転角度が統一して設定される一つの瓦回転機構を備えたものも本発明の範疇に包含される。
【００２７】
さらに、この実施例の瓦切断装置２０は、複数の瓦が同一の位置で切断されるように、瓦往復動機構が設けられているが、複数の瓦を異なる位置で切断できるように、各瓦ごとに瓦往復動機構が構成されたものも本発明の範疇に包含される。
【００２８】
なお、前述した瓦切断装置１の瓦回転機構は、瓦保持手段６Ａの軸部７ｂを中心軸として瓦配置面５に配した瓦を回転するように構成されているが、配置した瓦の中心（瓦配置面５の中心）付近に中心軸を配して回転するように構成したものも本発明の範疇に包含される。
【図面の簡単な説明】
【００２９】
【図１】本発明の瓦切断装置の一実施例の正面図である。
【図２】図１に示した瓦切断装置の左側面図である。
【図３】図１に示した瓦切断装置の瓦保持部の平面図である。
【図４】図１に示した瓦切断装置の使用方法を説明するための正面図である。
【図５】図１に示した瓦切断装置の瓦保持部の作用を説明するための平面図である。
【図６】図１に示した瓦切断装置の切断刃の作用を説明するための左側面図である。
【図７】本発明の瓦切断装置の他の実施例における瓦保持部の平面図である。
【符号の説明】
【００３０】
１    瓦切断装置
２    本体部
２ａ  脚部
２ｂ  作業台
３    瓦保持部
４    切断手段
４ａ  切断刃
４ｂ  カバー
４ｃ  ハンドル
４ｄ  把持部
４ｅ  スイッチ
５    瓦配置面
６    瓦保持手段
６ａ  係止片
６ｂ  延在部
７    瓦回転機構
７ａ  基台部
７ｂ  軸部
７ｃ  長孔
７ｄ  第１クランプ
８    瓦往復動機構
９    水平バー
１０  凹状レール部材
１１  凸状レール部材
１２  第２クランプ
１３  アーム
１４  アーム固定用レバー
１５  軸部
１６  弧状長孔
１７  光線照射手段
【図１】
2007196458.tif 000003
【図２】
2007196458.tif 000004
【図３】
2007196458.tif 000005
【図４】
2007196458.tif 000006
【図５】
2007196458.tif 000007
【図６】
2007196458.tif 000008
【図７】
2007196458.tif 000009